(57)【要約】【課題】広告提供主にとって有効的な広告配信を実現可能にする【解決手段】広告配信システム１を構成する広告配信サーバ２０は、ナビゲーション端末１０からの無線アクセスに応じて、ナビゲーション端末１０に対しユーザの属性、嗜好、及び環境の少なくとも一つに関するユーザ情報を要求する。ナビゲーション端末１０は、前記要求に応じて、前記ユーザに前記ユーザ情報を入力させると共に、前記ユーザ情報を広告配信サーバ２０へ送信する。広告配信サーバ２０は、前記ユーザ情報に則した広告情報を、ナビゲーション端末１０へ配信する。ナビゲーション端末１０は、前記広告情報を表示する。また、ナビゲーション端末１０は、前記ユーザ情報が入力された場合に、前記ユーザからのナビゲーション機能を利用するための操作を受け付ける。【選択図】図１
2011196936.tif 000002
【特許請求の範囲】
【請求項１】
ナビケーション機能を制御する制御手段と、
サーバとの無線通信を行う通信手段と、
自端末のユーザに、前記通信手段による前記サーバへのアクセスに応じて要求された、前記ユーザの属性、嗜好、及び環境の少なくとも一つに関するユーザ情報を入力させると共に、前記通信手段に、前記ユーザ情報を前記サーバへ送信させる情報収集手段と、
前記サーバから前記ユーザ情報に則して配信される広告情報を表示する表示手段と、を備え、
前記制御手段は、前記ユーザ情報が入力された場合、前記ユーザからの前記ナビゲーション機能を利用するための操作を受け付ける、
ナビゲーション端末。
【請求項２】
請求項１において、
前記情報収集手段は、
前記通信手段による前記サーバへのアクセスに先立って、前記ユーザにユーザ情報を複数入力させ、
前記通信手段による前記サーバへのアクセスに際して、前記先行的に入力されたユーザ情報の内から前記サーバの要求に合致するユーザ情報を抽出すると共に、前記通信手段に、前記抽出したユーザ情報を前記サーバへ送信させ、
前記制御手段は、
前記情報収集手段が前記抽出に成功した場合、前記操作を受け付けることを特徴としたナビゲーション端末。
【請求項３】
請求項２において、
前記情報収集手段は、前記通信手段による前記サーバへのアクセスの度毎に、前記抽出を行うことを特徴としたナビゲーション端末。
【請求項４】
請求項１〜３のいずれか一項において、
前記広告情報に、前記広告情報に関するアンケートが付加され、
前記情報収集手段は、前記表示の終了をトリガとして、前記ユーザに、前記アンケートに対する回答情報を入力させると共に、前記通信手段に、前記回答情報を前記サーバへ送信させることを特徴としたナビゲーション端末。
【請求項５】
請求項１〜４のいずれか一項において、
前記通信手段は、自端末の起動をトリガとして、前記サーバへのアクセスを行うことを特徴としたナビゲーション端末。
【請求項６】
請求項１〜４のいずれか一項において、
前記通信手段は、前記操作の開始をトリガとして、前記サーバへのアクセスを行い、
前記制御手段は、前記ユーザ情報が入力された場合、前記ユーザに対して前記操作の継続を許可することを特徴としたナビゲーション端末。
【請求項７】
請求項１〜６のいずれか一項において、
前記表示手段は、前記サーバから、互いに異なる優先度が付加された複数の広告情報が配信された場合、前記優先度に応じて前記複数の広告情報の表示順序を決定することを特徴としたナビゲーション端末。
【請求項８】
ナビケーション機能を有するナビゲーション端末と、
前記ナビゲーション端末との無線通信を行うサーバと、を備え、
前記サーバは、
前記ナビゲーション端末からのアクセスに応じて、前記ナビゲーション端末に対し、前記ナビゲーション端末を使用するユーザの属性、嗜好、及び環境の少なくとも一つに関するユーザ情報を要求し、
前記ユーザ情報に則した広告情報を、前記ナビゲーション端末へ配信し、
前記ナビゲーション端末は、
前記要求に応じて、前記ユーザに前記ユーザ情報を入力させると共に、前記ユーザ情報を前記サーバへ送信し、
前記広告情報を表示し、
前記ユーザ情報が入力された場合に、前記ユーザからの前記ナビゲーション機能を利用するための操作を受け付ける、
広告配信システム。
【請求項９】
ナビケーション機能を有するナビゲーション端末の制御方法であって、
前記ナビゲーション端末のユーザに、サーバへの無線アクセスに応じて要求された、前記ユーザの属性、嗜好、及び環境の少なくとも一つに関するユーザ情報を入力させ、
前記ユーザ情報を前記サーバへ送信し、
前記サーバから前記ユーザ情報に則して配信される広告情報を表示し、
前記ユーザ情報が入力された場合、前記ユーザからの前記ナビゲーション機能を利用するための操作を受け付ける、
ことを含むナビゲーション端末の制御方法。
【請求項１０】
ナビケーション機能を有するナビゲーション端末に、
前記ナビゲーション端末のユーザに、サーバへの無線アクセスに応じて要求された、前記ユーザの属性、嗜好、及び環境の少なくとも一つに関するユーザ情報を入力させる処理と、
前記ユーザ情報を前記サーバへ送信する処理と、
前記サーバから前記ユーザ情報に則して配信される広告情報を表示する処理と、
前記ユーザ情報が入力された場合、前記ユーザからの前記ナビゲーション機能を利用するための操作を受け付ける処理と、
を実行させるための制御プログラム。
【発明の詳細な説明】
【技術分野】
【０００１】
本発明は、ナビゲーション端末、広告配信システム、並びにナビゲーション端末の制御方法及びプログラムに関し、特にカーナビゲーション端末等へ広告を配信する技術に関する。
【背景技術】
【０００２】
近年、経路検索や周辺情報検索等、種々のナビゲーション機能を有するカーナビゲーション端末が開発されている。しかしながら、このようなカーナビゲーション端末は高価なものが多く、ユーザにとっては、その購入に際しての敷居が高いという問題があった。
【０００３】
この問題に対処するカーナビゲーション端末が、例えば特許文献１に記載されている。このカーナビゲーション端末は、タクシー等に搭載され、広告配信サーバに対して車両の位置情報及び目的地情報を無線送信する。これに応じて、広告配信サーバは、カーナビゲーション端末に対して、位置情報及び目的地情報に則した広告情報を配信する。そして、カーナビゲーション端末は、配信された広告情報を表示する。これにより、広告掲載料等の収益を得ること(換言すると、カーナビゲーション端末を安価に導入すること)が可能となる。
【先行技術文献】
【特許文献】
【０００４】
【特許文献１】特開２００１−２８０９８１号公報
【特許文献２】特開２００２−４９６４０号公報
【特許文献３】特開２００５−８４７５２号公報
【発明の概要】
【発明が解決しようとする課題】
【０００５】
しかしながら、上記の特許文献１には、広告提供主にとって有効的な広告配信が困難であるという課題があった。これは、車両の位置情報及び目的地情報に則して配信される広告情報が、ユーザにとって必ずしも興味を引くものでは無いためである。
【０００６】
なお、参考例として、特許文献２には、ユーザにより予め登録された属性情報に則して広告情報を配信する広告配信サーバが記載されている。また、特許文献３には、ユーザにより予め登録された属性情報や嗜好情報等に則してコンテンツを配信するコンテンツサーバが記載されている。しかしながら、これらの特許文献２及び３に記載の技術を適用しても、広告提供主にとって有効的な広告配信の実現は困難である。これは、属性情報や嗜好情報等の収集に際して、ユーザによる自発的な登録作業が必要となるためである。
【０００７】
従って、本発明の目的は、広告提供主にとって有効的な広告配信を実現可能にすることにある。
【課題を解決するための手段】
【０００８】
上記の目的を達成するため、本発明の一態様に係るナビゲーション端末は、ナビケーション機能を制御する制御手段と、サーバとの無線通信を行う通信手段と、自端末のユーザに、前記通信手段による前記サーバへのアクセスに応じて要求された、前記ユーザの属性、嗜好、及び環境の少なくとも一つに関するユーザ情報を入力させると共に、前記通信手段に、前記ユーザ情報を前記サーバへ送信させる情報収集手段と、前記サーバから前記ユーザ情報に則して配信される広告情報を表示する表示手段とを備える。前記制御手段は、前記ユーザ情報が入力された場合、前記ユーザからの前記ナビゲーション機能を利用するための操作を受け付ける。
【０００９】
また、本発明の一態様に係る広告配信システムは、ナビケーション機能を有するナビゲーション端末と、前記ナビゲーション端末との無線通信を行うサーバとを備える。前記サーバは、前記ナビゲーション端末からのアクセスに応じて、前記ナビゲーション端末に対し、前記ナビゲーション端末を使用するユーザの属性、嗜好、及び環境の少なくとも一つに関するユーザ情報を要求し、前記ユーザ情報に則した広告情報を、前記ナビゲーション端末へ配信する。前記ナビゲーション端末は、前記要求に応じて、前記ユーザに前記ユーザ情報を入力させると共に、前記ユーザ情報を前記サーバへ送信し、前記広告情報を表示し、前記ユーザ情報が入力された場合に、前記ユーザからの前記ナビゲーション機能を利用するための操作を受け付ける。
【００１０】
また、本発明の一態様に係る制御方法は、ナビケーション機能を有するナビゲーション端末の制御方法を提供する。この制御方法は、前記ナビゲーション端末のユーザに、サーバへの無線アクセスに応じて要求された、前記ユーザの属性、嗜好、及び環境の少なくとも一つに関するユーザ情報を入力させ、前記ユーザ情報を前記サーバへ送信し、前記サーバから前記ユーザ情報に則して配信される広告情報を表示し、前記ユーザ情報が入力された場合、前記ユーザからの前記ナビゲーション機能を利用するための操作を受け付けることを含む。
【００１１】
さらに、本発明の一態様に係る制御プログラムは、ナビケーション機能を有するナビゲーション端末に、前記ナビゲーション端末のユーザに、サーバへの無線アクセスに応じて要求された、前記ユーザの属性、嗜好、及び環境の少なくとも一つに関するユーザ情報を入力させる処理と、前記ユーザ情報を前記サーバへ送信する処理と、前記サーバから前記ユーザ情報に則して配信される広告情報を表示する処理と、前記ユーザ情報が入力された場合、前記ユーザからの前記ナビゲーション機能を利用するための操作を受け付ける処理とを実行させる。
【発明の効果】
【００１２】
本発明によれば、広告提供主にとって有効的な広告配信を実現することが可能である。その理由は、ナビゲーション機能の利用に際してユーザに情報入力を強制し、以て広告提供主が必要とするユーザ情報を確実に収集できるためである。
【図面の簡単な説明】
【００１３】
【図１】本発明の実施の形態１及び２に共通の広告配信システムの構成例を示したブロック図である。
【図２】本発明の実施の形態１に係る広告配信システムにおける、広告配信動作の第１の例を示したシーケンス図である。
【図３】本発明の実施の形態１に係る広告配信システムにおける、広告配信動作の第２の例を示したシーケンス図である。
【図４】本発明の実施の形態１に係るナビゲーション端末における、広告表示動作の第１の例を示したシーケンス図である。
【図５】本発明の実施の形態１に係る広告配信システムにおける、広告配信動作の第３の例を示したシーケンス図である。
【図６】本発明の実施の形態１に係る広告配信システムにおける、広告配信動作の第４の例を示したシーケンス図である。
【図７】本発明の実施の形態１に係る広告配信システムにおける、広告配信動作の第５の例を示したシーケンス図である。
【図８】本発明の実施の形態１に係るナビゲーション端末における、広告表示動作の第２の例を示したシーケンス図である。
【図９】本発明の実施の形態２に係る広告配信システムの動作例を示したシーケンス図である。
【発明を実施するための形態】
【００１４】
以下、本発明に係るナビゲーション端末及びこれを適用する広告配信システムの実施の形態１及び２を、図１〜図９を参照して説明する。なお、各図面において、同一要素には同一の符号が付されており、説明の明確化のため、必要に応じて重複説明は省略される。
【００１５】
[実施の形態１]
図１に示すように、本実施の形態に係る広告配信システム１は、ナビゲーション端末１０と、広告配信サーバ２０とを備えている。ナビゲーション端末１０は、例えば車両に搭載され、カーナビゲーション端末として機能する。また、ナビゲーション端末１０は、基地局等の無線通信装置２、及びインターネットや移動体通信網等のネットワークを介して、広告配信サーバ２０と無線通信する。
【００１６】
具体的には、ナビゲーション端末１０は、ナビゲーション機能部１１と、制御部１２と、無線通信部１３と、ユーザ情報収集部１４と、表示部１５とを備えている。
【００１７】
この内、ナビゲーション機能部１１は、一般的なナビゲーション端末と同様、ＧＰＳ(Ｇｌｏｂａｌ Ｐｏｓｉｔｉｏｎｉｎｇ Ｓｙｓｔｅｍ)衛星からの無線信号を受信し、この無線信号から自端末１０の位置情報を得るＧＰＳ受信機、位置情報に基づき、経路検索や周辺情報検索等に係る各種の処理を実行するためのプログラム及び地図データを記憶した記憶媒体を含む。
【００１８】
また、制御部１２は、大略、図示を省略する操作部を介した自端末１０のユーザからの操作に応じて、ナビゲーション機能部１１を制御する。より詳細には、制御部１２は、ユーザ情報収集部１４によるユーザ情報の収集結果に基づき、ユーザ操作の受付可否を決定する。制御部１２は、広告配信サーバ２０から要求されたユーザ情報がユーザ情報収集部１４により収集された場合、ユーザ操作を許可する。一方、ユーザ情報が収集されなかった場合、制御部１２は、ユーザ操作を拒否する。なお、上記の操作部には、リモコン、タッチパネル、音声認識手段等、各種の操作手段を用いることができる。
【００１９】
ここで、ユーザ情報とは、大略、広告配信サーバ２０がナビゲーション端末１０への広告情報の配信に際して必要とする情報のことであり、具体的には、ユーザの属性(年齢、性別、職業等)、ユーザの嗜好(趣味、興味のある分野等)、及びユーザの環境(天候、渋滞状況、開花状況等)の少なくとも一つに関する情報のことである。また、ユーザ操作の許可とは、ユーザ操作に従ってナビゲーション機能部１１を制御し、以て経路検索や周辺情報検索等に係る所望の処理を実行する(すなわち、ユーザに対して、ナビゲーション端末１０が有するナビゲーション機能を提供する)ことである。一方、ユーザ操作の拒否とは、ユーザ操作を無視し、以てユーザに対してナビゲーション機能を提供しないことである。
【００２０】
また、無線通信部１３は、所定の無線通信方式に則して動作し、広告配信サーバ２０へ自律的にアクセスする。無線通信部１３は、広告配信サーバ２０から受信したユーザ情報要求を、ユーザ情報収集部１４へ転送する。また、無線通信部１３は、広告配信サーバ２０からユーザ情報に則して配信される広告情報を、表示部１５へ転送する。
【００２１】
また、ユーザ情報収集部１４は、大略、ユーザに、ユーザ情報要求に合致するユーザ情報を入力させる。具体的には、ユーザ情報収集部１４は、表示部１５を介して、ユーザ情報の入力を促す表示を行う。また、ユーザ情報収集部１４は、無線通信部１３に、上記の操作部を介して入力されたユーザ情報を広告配信サーバ２０へ送信させる。さらに、ユーザ情報収集部１４は、ユーザ情報の入力有無を、上記の収集結果として制御部１２へ通知する。
【００２２】
さらに、表示部１５は、無線通信部１３から転送された広告情報を表示する。なお、表示部１５は、ナビゲーション機能を提供する際の表示手段としても機能する。
【００２３】
一方、広告配信サーバ２０は、管理サーバ２１と、配信サーバ２２とを備えている。
【００２４】
この内、管理サーバ２１は、ナビゲーション端末１０からのアクセスに応じて、ユーザ情報要求を発生する。また、管理サーバ２１は、ナビゲーション端末１０から受信したユーザ情報を管理する。
【００２５】
また、配信サーバ２２は、管理サーバ２１から通知されるユーザ情報に則した広告情報を選択し、ナビゲーション端末１０へ配信する。
【００２６】
なお、管理サーバ２１及び配信サーバ２２は、物理的に異なるハードウェア資源を用いて構成しても良いし、同一のハードウェア資源を用いて論理的に異なるものとして構成しても良い。また、管理サーバ２１及び配信サーバ２２は、１つの事業者(広告配信事業者)により運用されても良いし、互いに異なる事業者(広告配信事業者と、ユーザ情報の管理事業者)により運用されても良い。後者の運用形態の場合、管理事業者は、収集したユーザ情報を、他の広告配信事業者又は他業種の事業者(例えば、コンテンツ配信事業者)に販売することや、他の広告配信事業者が運用する配信サーバに利用させること等ができる。
【００２７】
このように、本実施の形態においては、ユーザに対してナビゲーション機能を提供する代わりに情報入力を強制し、以て広告提供主が必要とするユーザ情報を確実に収集できる。このため、広告提供主は、ユーザの興味を引く有効的な広告配信を行うことができる。さらに、広告配信による収益やユーザ情報の販売による収益等を利用して、ナビゲーション端末を、安価に販売する或いは無料で配布することも可能となる。
【００２８】
以下、本実施の形態の具体的な動作例を、図２〜図８を参照して詳細に説明する。
【００２９】
まず、図２に、ナビゲーション端末１０の起動をトリガとして広告配信を行う場合の動作例を示す。
【００３０】
図２に示すように、ユーザ４０によりナビゲーション端末１０が起動されると(ステップＳ１)、無線通信部１３は、自端末１０に固有の情報１０１(以下、端末情報と呼称する)を管理サーバ２１へ送信する(ステップＳ２)。ここで、端末情報１０１には、少なくともナビゲーション端末１０の識別番号が含まれる。なお、端末情報１０１には、ナビゲーション端末１０の位置情報(上記のＧＰＳ受信機で得られた位置情報)を含めても良い。
【００３１】
管理サーバ２１は、端末情報１０１に基づき、収集が必要なユーザ情報１０２を判断する(ステップＳ３)。具体的には、ナビゲーション端末１０から初めてアクセスされた場合(上記の識別番号を初めて受信した場合)、管理サーバ２１は、ユーザ情報１０２として、例えばユーザ４０の属性情報及び嗜好情報が必要であると判断する。一方、２回目以降のアクセスに際しては、管理サーバ２１は、ユーザ情報１０２として、例えばユーザ４０の環境情報が必要であると判断する。
【００３２】
そして、管理サーバ２１は、ナビゲーション端末１０に対してユーザ情報要求１０３を送信し、以て上記のステップＳ３で必要と判断したユーザ情報１０２の収集を要求する(ステップＳ４)。なお、管理サーバ２１は、ユーザ情報１０２として、ユーザ４０の属性情報、嗜好情報、及び環境情報のいずれかの変更(更新)を問い合わせても良い。また、管理サーバ２１は、例えばユーザ４０の嗜好に応じた補足情報を、ユーザ情報１０２として問い合わせても良い。
【００３３】
ナビゲーション端末１０内の無線通信部１３は、管理サーバ２１から受信したユーザ情報要求１０３をユーザ情報収集部１４へ転送する。ユーザ情報収集部１４は、表示部１５を介して、ユーザ情報１０２の入力を促す表示(以下、入力促進表示と呼称する)を行う(ステップＳ５)。この入力促進表示には、質問事項や、選択入力欄或いは文字入力欄等が含まれる。
【００３４】
そして、ユーザ４０によりユーザ情報１０２が入力されると(ステップＳ６)、ユーザ情報収集部１４は、ユーザ情報１０２を無線通信部１３へ転送し、以てユーザ情報１０２を管理サーバ２１へ送信する(ステップＳ７)。
【００３５】
この時、ユーザ情報収集部１４は、ユーザ情報１０２が入力された旨を制御部１２へ通知する。制御部１２は、ユーザ４０による自端末１０の操作を許可する(ステップＳ８)。これにより、ユーザ４０は、ステップＳ９に示す如く、以降の端末操作を行うことができ、以てナビゲーション機能を利用できる。
【００３６】
一方、管理サーバ２１は、ナビゲーション端末１０から受信したユーザ情報１０２を、上記の端末情報１０１と対応付けて内部データベース(図示せず)に登録する(ステップＳ１０)。そして、管理サーバ２１は、内部データベースに登録された、ナビゲーション端末１０に対応する全てのユーザ情報１０２を、配信サーバ２２へ送信する(ステップＳ１１)。なお、管理サーバ２１は、端末情報１０１にナビゲーション端末１０の位置情報が含まれていた場合、この位置情報も配信サーバ２２へ送信する。
【００３７】
配信サーバ２２は、自サーバ２２に記憶された各種の広告情報の内から、ユーザ情報１０２に適する広告情報１０４を選択する(ステップＳ１２)。そして、配信サーバ２２は、選択した広告情報１０４を、ナビゲーション端末１０へ送信する(ステップＳ１３)。なお、配信サーバ２２は、ユーザ情報１０２と共にナビゲーション端末１０の位置情報を受信した場合、位置情報も考慮して広告情報１０４を選択する。これにより、ユーザ４０の現在位置或いはその周辺エリアに特有の広告配信を行うことができる。
【００３８】
ナビゲーション端末１０内の無線通信部１３は、配信サーバ２２から受信した広告情報１０４を表示部１５へ転送する。表示部１５は、後述する広告情報１０４の表示動作に備えて、広告情報１０４をメモリ等へ保存する(ステップＳ１４)。なお、表示部１５は、転送された広告情報１０４を即座に表示しても良い。
【００３９】
また、図３に、ユーザ４０によるナビゲーション端末１０の操作開始をトリガとして広告配信を行う場合の動作例を示す。
【００４０】
図３に示すように、ユーザ４０によるナビゲーション端末１０の操作が開始されると(ステップＳ２１)、無線通信部１３は、上記のステップＳ２と同様、端末情報１０１を管理サーバ２１へ送信する。
【００４１】
管理サーバ２１は、上記のステップＳ３及びＳ４と同様、端末情報１０１に基づき収集が必要なユーザ情報１０２を判断すると共に、ナビゲーション端末１０に対してユーザ情報１０２の収集を要求する。
【００４２】
ナビゲーション端末１０は、上記のステップＳ５〜Ｓ７と同様、ユーザ４０にユーザ情報１０２の入力を促し、入力されたユーザ情報１０２を広告配信サーバ２０へ送信する。
【００４３】
そして、ナビゲーション端末１０内のユーザ情報収集部１４は、ユーザ情報１０２が入力された旨を制御部１２へ通知する。制御部１２は、ユーザ４０による自端末１０の操作の継続を許可する(ステップＳ２２)。これにより、ユーザ４０は、ステップＳ２３に示す如く、以降の端末操作を継続することができ、以てナビゲーション機能を継続して利用できる。
【００４４】
一方、広告配信サーバ２０は、上記のステップＳ１０〜Ｓ１３と同様、ユーザ情報１０２に適する広告情報１０４をナビゲーション端末１０へ配信する。
【００４５】
ナビゲーション端末１０は、上記のステップＳ１４と同様、広告配信サーバ２０から配信された広告情報１０４を保存する。
【００４６】
このように、本実施の形態においては、広告提供主が必要とするユーザ情報を継続的に収集することもできる。この場合、広告提供主は、更に有効的な広告配信を行うことができる。なお、ナビゲーション端末１０は、一定時間間隔で広告配信サーバ２０へアクセスし、以てユーザ情報１０２を定期的に収集するようにしても良い。この場合も、ユーザ情報１０２を継続的に収集できる。
【００４７】
次に、ナビゲーション端末１０における広告情報１４０の表示動作の一例を、図４を参照して説明する。
【００４８】
図４に示すように、ナビゲーション端末１０内の表示部１５は、広告情報１４０の表示に際して自端末１０の移動状態を監視し、自端末１０が停留しているか否かを判定する(ステップＳ３１)。具体的には、表示部１５は、例えば加速度センサ１６(図１では省略)により検出された加速度１０５に基づき、自端末１０が停留しているか否かを判定する。例えば、加速度１０５が所定の閾値以下である場合、表示部１５は、自端末１０が停留していると判定し、上記のステップＳ１４で保存して置いた広告情報１０４を表示する(ステップＳ３２)。
【００４９】
これにより、ナビゲーション端末１０が車両に搭載される場合を例に取ると、停車時に広告情報１０４を表示し、以て広告情報１０４が視聴される確率を高めることができる(換言すると、ユーザ４０に、広告情報１０４を効果的に視認させることができる)。なお、ナビゲーション端末１０を車両に搭載する場合、ナビゲーション端末１０は、上記の加速度１０５に代えて、アクセルの踏込量、ブレーキの踏込量、単位時間当たりの車輪の回転数、風力、サイドブレーキの作動有無等に基づき、自端末１０の停車可否を判定することができる。
【００５０】
また、広告配信システム１は、図５及び図６に示す如く広告配信を行うようにしても良い。
【００５１】
具体的には、図５に示すように、上記のステップＳ１１〜Ｓ１４に示した広告情報１０４の配信動作と並行して、広告配信サーバ２０内の管理サーバ２１が、広告情報１０４に関するアンケート１０６を、ナビゲーション端末１０へ送信する(ステップＳ４１)。ここで、アンケート１０６には、ユーザ４０に対して、広告情報１０４に対する興味の度合いや、商品購入に際しての予算等を問い合わせるための各種の質問事項が含まれる。
【００５２】
一方、ナビゲーション端末１０内のユーザ情報収集部１４は、図６に示すように、表示部１５を介して上記のステップＳ３２と同様にして広告情報１０４を表示した後、管理サーバ２１から受信したアンケート１０６を表示し、以てユーザ４０に、アンケート１０６に対する回答情報１０７の入力を促す(ステップＳ５１)。
【００５３】
そして、ユーザ４０により回答情報１０７が入力されると(ステップＳ５２)、ユーザ情報収集部１４は、回答情報１０７を無線通信部１３へ転送し、以て回答情報１０７を管理サーバ２１へ送信する(ステップＳ５３)。なお、ユーザ情報収集部１４は、ユーザ４０により回答情報１０７が入力されない場合、その旨を制御部１２へ通知するようにしても良い。この場合、制御部１２は、ユーザ４０による自端末１０の以降の操作を拒否するようにしても良い。
【００５４】
管理サーバ２１は、ナビゲーション端末１０から受信した回答情報１０７を、上記の端末情報１０１と対応付けて内部データベースに登録する(ステップＳ５４)。そして、管理サーバ２１は、内部データベースに登録された、ナビゲーション端末１０に対応する全てのユーザ情報１０２及び回答情報１０７を、配信サーバ２２へ送信する(ステップＳ５５)。
【００５５】
配信サーバ２２は、自サーバ２２に記憶された各種の広告情報の内から、ユーザ情報１０２及び回答情報１０７の両者に適する広告情報１０４を新たに選択する(ステップＳ５６)。そして、配信サーバ２２は、上記のステップＳ１４と同様、選択した広告情報１０４をナビゲーション端末１０へ送信する。
【００５６】
ナビゲーション端末１０は、上記のステップＳ１４と同様、配信サーバ２２から新たに受信した広告情報１０４を保存する。この広告情報１０４は、図４と同様にして、ユーザ４０に視聴されることとなる。
【００５７】
これにより、広告提供主は、ユーザの興味の度合いや予算等も考慮した、更に有効的な広告配信を行うことができる。
【００５８】
さらに、広告配信システム１は、図７及び図８に示す如く広告配信を行うようにしても良い。
【００５９】
具体的には、図７に示すように、広告配信サーバ２０内の配信サーバ２２は、上記のステップＳ１１でユーザ情報１０２を受信した後、自サーバ２２に記憶された各種の広告情報の内から、ユーザ情報１０２に適する複数の広告情報１０４＿１〜１０４＿ｍ(ｍは２以上の整数)を選択する(ステップＳ６１)。なお、配信サーバ２２は、広告情報１０４＿１〜１０４＿ｍを、ユーザ情報１０２に加え、ナビゲーション端末１０の位置情報若しくは回答情報１０７又はその両者も考慮して選択しても良い。
【００６０】
また、配信サーバ２２は、これらの広告情報１０４＿１〜１０４＿ｍに対して、ナビゲーション端末１０が優先して表示すべき、互いに異なる優先度１０８＿１〜１０８＿ｍ(以下、表示優先度と呼称することがある)をそれぞれ設定する(ステップＳ６２)。
【００６１】
そして、配信サーバ２２は、表示優先度１０８＿１〜１０８＿ｍを付加した広告情報１０４＿１〜１０４＿ｍを、ナビゲーション端末１０へ送信する(ステップＳ６３)。
【００６２】
ナビゲーション端末１０内の無線通信部１３は、配信サーバ２２から受信した広告情報１０４＿１〜１０４＿ｍ及び表示優先度１０８＿１〜１０８＿ｍを表示部１５へ転送する。表示部１５は、これらの広告情報１０４＿１〜１０４＿ｍ及び表示優先度１０８＿１〜１０８＿ｍをメモリ等へ保存する(ステップＳ６４)。
【００６３】
そして、図８に示すように、表示部１５は、上記のステップＳ３１と同様にして自端末１０が停留していると判定した場合、表示優先度１０８＿１〜１０８＿ｍに従って広告情報１０４＿１〜１０４＿ｍの表示順序を決定し、以て今回表示対象とする１つ以上の広告情報１０４＿ｓを選択する(ステップＳ７１)。次いで、表示部１５は、選択した広告情報１０４＿ｓを表示する(ステップＳ７２)。なお、図示を省略するが、残りの広告情報は、ナビゲーション端末１０が停留する度毎に表示されることとなる。
【００６４】
これにより、広告提供主は、ユーザに、ユーザ情報に適する複数の広告情報を効率的に試聴させることができる。
【００６５】
[実施の形態２]
本実施の形態に係るナビゲーション端末及び広告配信システムは、図１と同様に構成できる。但し、本実施の形態に係る広告配信システムは、図２〜図８の動作に加えて、図９に示す動作を行う点で上記の実施の形態１と異なる。
【００６６】
具体的には、図９に示すように、ナビゲーション端末１０内のユーザ情報収集部１４は、無線通信部１３による広告配信サーバ２０へのアクセスに先立つ任意のタイミング(例えば、ナビゲーション端末１０に対するユーザ操作が行われないアイドル期間)で、表示部１５を介して、複数のユーザ情報１０２＿１〜１０２＿ｎ(ｎは２以上の整数)の入力を促す表示(以下、先行入力用表示と呼称する)を行う(ステップＳ８１)。この先行入力用表示には、複数の質問事項や、複数の選択入力欄或いは文字入力欄等が含まれる。
【００６７】
そして、ユーザ４０によりユーザ情報１０２＿１〜１０２＿ｎが入力されると(ステップＳ８２)、ユーザ情報収集部１４は、ユーザ情報１０２＿１〜１０２＿ｎをメモリ等へ保存する(ステップＳ８３)。
【００６８】
この後、上記のステップＳ２１と同様にしてユーザ４０によるナビゲーション端末１０の操作が開始されると、無線通信部１３は、上記のステップＳ２と同様、端末情報１０１を管理サーバ２１へ送信する。また、管理サーバ２１は、上記のステップＳ３及びＳ４と同様、端末情報１０１に基づき収集が必要なユーザ情報１０２を判断すると共に、ナビゲーション端末１０に対してユーザ情報１０２の収集を要求する。
【００６９】
この時、ユーザ情報収集部１４は、上記の入力促進表示を行うこと無く(すなわち、ユーザ４０に対してユーザ情報の入力を求めること無く)、上記のステップＳ８３で保存して置いたユーザ情報１０２＿１〜１０２＿ｎの内から、管理サーバ２１の要求に合致するユーザ情報１０２を抽出する(ステップＳ８４)。
【００７０】
この抽出に成功した場合、ユーザ情報収集部１４は、抽出したユーザ情報１０２を無線通信部１３へ転送し、以てユーザ情報１０２を管理サーバ２１へ送信する(ステップＳ８５)。これにより、ユーザ情報１０２が、上記のステップＳ１０と同様にして管理サーバ２１に登録され、広告情報の選択に供されることとなる。
【００７１】
そして、ユーザ情報収集部１４は、ユーザ情報１０２の抽出に成功した旨を制御部１２へ通知する。制御部１２は、ユーザ４０による自端末１０の操作の継続を許可する(ステップＳ８６)。
【００７２】
これにより、ユーザ４０は、ステップＳ８７に示す如く、端末操作に際してユーザ情報１０２を入力すること無く以降の端末操作を継続でき、以てナビゲーション機能を継続して利用できる。なお、ユーザ情報１０２の抽出に失敗した場合には、図２に示した上記のステップＳ５以降の処理が実行される。
【００７３】
この後、ユーザ４０によるナビゲーション端末１０の新たな操作が開始される度毎に(すなわち、無線通信部１３による広告配信サーバ２０へのアクセスの度毎に)、ユーザ情報収集部１４が上記のステップＳ８４及びＳ８５を繰り返し実行し、制御部１２が上記のステップＳ８６を繰り返し実行する。
【００７４】
従って、ユーザは、有用なユーザ情報を先行的に入力する程に長時間に亘って、ナビゲーション機能を継続利用できる。また、この場合であっても、広告提供主が必要とするユーザ情報を継続的に収集できる。
【００７５】
なお、上記の実施の形態によって本発明は限定されるものではなく、特許請求の範囲の記載に基づき、当業者によって種々の変更が可能なことは明らかである。
【００７６】
例えば、上記の実施の形態に示したナビゲーション端末１０の各処理を、コンピュータに実行させるためのプログラムとして提供することもできる。この場合、プログラムは、様々なタイプの非一時的なコンピュータ可読媒体(ｎｏｎ−ｔｒａｎｓｉｔｏｒｙ ｃｏｍｐｕｔｅｒ ｒｅａｄａｂｌｅ ｍｅｄｉｕｍ)を用いて格納され、コンピュータに供給することができる。ここで、非一時的なコンピュータ可読媒体は、様々なタイプの実体のある記録媒体(ｔａｎｇｉｂｌｅ ｓｔｏｒａｇｅ ｍｅｄｉｕｍ)を含む。非一時的なコンピュータ可読媒体の例は、磁気記録媒体(例えば、フレキシブルディスク、磁気テープ、ハードディスクドライブ)、光磁気記録媒体(例えば、光磁気ディスク)、ＣＤ−ＲＯＭ(Ｒｅａｄ Ｏｎｌｙ Ｍｅｍｏｒｙ)、ＣＤ−Ｒ、ＣＤ−Ｒ／Ｗ、半導体メモリ(例えば、マスクＲＯＭ、ＰＲＯＭ(Ｐｒｏｇｒａｍｍａｂｌｅ ＲＯＭ)、ＥＰＲＯＭ(Ｅｒａｓａｂｌｅ ＰＲＯＭ)、フラッシュＲＯＭ、ＲＡＭ(Ｒａｎｄｏｍ Ａｃｃｅｓｓ Ｍｅｍｏｒｙ))を含む。プログラムは、様々なタイプの一時的なコンピュータ可読媒体(ｔｒａｎｓｉｔｏｒｙ ｃｏｍｐｕｔｅｒ ｒｅａｄａｂｌｅ ｍｅｄｉｕｍ)によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７７】
（付記１）
ナビケーション機能を制御する制御手段と、
サーバとの無線通信を行う通信手段と、
自端末のユーザに、前記通信手段による前記サーバへのアクセスに応じて要求された、前記ユーザの属性、嗜好、及び環境の少なくとも一つに関するユーザ情報を入力させると共に、前記通信手段に、前記ユーザ情報を前記サーバへ送信させる情報収集手段と、
前記サーバから前記ユーザ情報に則して配信される広告情報を表示する表示手段と、を備え、
前記制御手段は、前記ユーザ情報が入力された場合、前記ユーザからの前記ナビゲーション機能を利用するための操作を受け付ける、
ナビゲーション端末。
【００７８】
（付記２）付記１において、
前記情報収集手段は、
前記通信手段による前記サーバへのアクセスに先立って、前記ユーザにユーザ情報を複数入力させ、
前記通信手段による前記サーバへのアクセスに際して、前記先行的に入力されたユーザ情報の内から前記サーバの要求に合致するユーザ情報を抽出すると共に、前記通信手段に、前記抽出したユーザ情報を前記サーバへ送信させ、
前記制御手段は、
前記情報収集手段が前記抽出に成功した場合、前記操作を受け付けることを特徴としたナビゲーション端末。
【００７９】
（付記３）付記２において、
前記情報収集手段は、前記通信手段による前記サーバへのアクセスの度毎に、前記抽出を行うことを特徴としたナビゲーション端末。
【００８０】
（付記４）付記１〜３のいずれか一つにおいて、
前記広告情報に、前記広告情報に関するアンケートが付加され、
前記情報収集手段は、前記表示の終了をトリガとして、前記ユーザに、前記アンケートに対する回答情報を入力させると共に、前記通信手段に、前記回答情報を前記サーバへ送信させることを特徴としたナビゲーション端末。
【００８１】
（付記５）付記１〜４のいずれか一つにおいて、
前記情報収集手段は、前記通信手段に、前記ユーザ情報に加えて、自端末の位置情報を前記サーバへ送信させることを特徴としたナビゲーション端末。
【００８２】
（付記６）付記１〜５のいずれか一つにおいて、
前記通信手段は、自端末の起動をトリガとして、前記サーバへのアクセスを行うことを特徴としたナビゲーション端末。
【００８３】
（付記７）付記１〜５のいずれか一つにおいて、
前記通信手段は、前記操作の開始をトリガとして、前記サーバへのアクセスを行い、
前記制御手段は、前記ユーザ情報が入力された場合、前記ユーザに対して前記操作の継続を許可することを特徴としたナビゲーション端末。
【００８４】
（付記８）付記１〜５のいずれか一つにおいて、
前記通信手段は、一定の時間間隔で、前記サーバへのアクセスを行うことを特徴としたナビゲーション端末。
【００８５】
（付記９）付記１〜８のいずれか一つにおいて、
前記表示手段は、前記サーバから、互いに異なる優先度が付加された複数の広告情報が配信された場合、前記優先度に応じて前記複数の広告情報の表示順序を決定することを特徴としたナビゲーション端末。
【００８６】
（付記１０）付記１〜９のいずれか一つにおいて、
自端末の移動状態を検出する検出手段を、さらに備え、
前記表示手段は、前記移動状態が自端末の停留を示す場合、前記広告情報を表示することを特徴としたナビゲーション端末。
【００８７】
（付記１１）
ナビケーション機能を有するナビゲーション端末と、
前記ナビゲーション端末との無線通信を行うサーバと、を備え、
前記サーバは、
前記ナビゲーション端末からのアクセスに応じて、前記ナビゲーション端末に対し、前記ナビゲーション端末を使用するユーザの属性、嗜好、及び環境の少なくとも一つに関するユーザ情報を要求し、
前記ユーザ情報に則した広告情報を、前記ナビゲーション端末へ配信し、
前記ナビゲーション端末は、
前記要求に応じて、前記ユーザに前記ユーザ情報を入力させると共に、前記ユーザ情報を前記サーバへ送信し、
前記広告情報を表示し、
前記ユーザ情報が入力された場合に、前記ユーザからの前記ナビゲーション機能を利用するための操作を受け付ける、
広告配信システム。
【００８８】
（付記１２）付記１０において、
前記サーバは、
前記広告情報に、前記広告情報に関するアンケートを付加し、
前記ユーザ情報と、前記アンケートに対する回答情報とに則した広告情報を、前記ナビゲーション端末へ再配信し、
前記ナビゲーション端末は、
前記表示の終了をトリガとして、前記ユーザに前記回答情報を入力させると共に、前記回答情報を前記サーバへ送信することを特徴とした広告配信システム。
【００８９】
（付記１３）付記１０において、
前記ナビゲーション端末は、前記ユーザ情報に加えて、自端末の位置情報を前記サーバへ送信し、
前記サーバは、前記ユーザ情報及び位置情報に則した広告情報を、前記ナビゲーション端末へ配信することを特徴としたナビゲーション端末。
【００９０】
（付記１４）付記１０〜１３のいずれか一つにおいて、
前記サーバは、互いに異なる優先度を付加した複数の広告情報を、前記ナビゲーション端末へ配信し、
前記ナビゲーション端末は、前記優先度に応じて前記複数の広告情報の表示順序を決定することを特徴とした広告配信システム。
【００９１】
（付記１５）
ナビケーション機能を有するナビゲーション端末の制御方法であって、
前記ナビゲーション端末のユーザに、サーバへの無線アクセスに応じて要求された、前記ユーザの属性、嗜好、及び環境の少なくとも一つに関するユーザ情報を入力させ、
前記ユーザ情報を前記サーバへ送信し、
前記サーバから前記ユーザ情報に則して配信される広告情報を表示し、
前記ユーザ情報が入力された場合、前記ユーザからの前記ナビゲーション機能を利用するための操作を受け付ける、
ことを含むナビゲーション端末の制御方法。
【００９２】
（付記１６）付記１５において、
前記サーバへの無線アクセスに先立って、前記ユーザにユーザ情報を複数入力させ、
前記サーバへの無線アクセスに際して、前記先行的に入力されたユーザ情報の内から、前記サーバの要求に合致するユーザ情報を抽出し、
前記抽出したユーザ情報を前記サーバへ送信し、
前記抽出に成功した場合、前記操作を受け付ける、
ことをさらに含むナビゲーション端末の制御方法。
【００９３】
（付記１７）付記１６において、
前記サーバへの無線アクセスの度毎に、前記抽出を行うことをさらに含むナビゲーション端末の制御方法。
【００９４】
（付記１８）付記１５〜１７のいずれか一つにおいて、
前記広告情報に、前記広告情報に関するアンケートが付加される場合、前記表示の終了をトリガとして、前記ユーザに前記アンケートに対する回答情報を入力させると共に、前記回答情報を前記サーバへ送信することをさらに含むナビゲーション端末の制御方法。
【００９５】
（付記１９）付記１５〜１８のいずれか一つにおいて、
前記ユーザ情報に加えて、前記ナビゲーション端末の位置情報を前記サーバへ送信することをさらに含むナビゲーション端末の制御方法。
【００９６】
（付記２０）付記１５〜１９のいずれか一つにおいて、
前記ナビゲーション端末の起動をトリガとして、前記サーバへの無線アクセスを行うことを特徴としたナビゲーション端末の制御方法。
【００９７】
（付記２１）付記１５〜１９のいずれか一つにおいて、
前記操作の開始をトリガとして、前記サーバへの無線アクセスを行い、
前記ユーザ情報が入力された場合、前記ユーザに対して前記操作の継続を許可することを特徴としたナビゲーション端末の制御方法。
【００９８】
（付記２２）付記１５〜１９のいずれか一つにおいて、
一定の時間間隔で、前記サーバへの無線アクセスを行うことを特徴としたナビゲーション端末の制御方法。
【００９９】
（付記２３）付記１５〜２２のいずれか一つにおいて、
前記サーバから、互いに異なる優先度が付加された複数の広告情報が配信された場合、前記優先度に応じて前記複数の広告情報の表示順序を決定することをさらに含むナビゲーション端末の制御方法。
【０１００】
（付記２４）付記１５〜２３のいずれか一つにおいて、
前記ナビゲーション端末の移動状態を検出し、
前記移動状態が自端末の停留を示す場合、前記広告情報を表示することをさらに含むナビゲーション端末の制御方法。
【符号の説明】
【０１０１】
１  広告配信システム
２  無線通信装置
３  ネットワーク
１０  ナビゲーション端末
１１  ナビゲーション機能部
１２  制御部
１３  無線通信部
１４  ユーザ情報収集部
１５  表示部
１６  加速度センサ
２０  広告配信サーバ
２１  管理サーバ
２２  配信サーバ
１０１  端末情報
１０２, １０２＿１〜１０２＿ｎ  ユーザ情報
１０３  ユーザ情報要求
１０４, １０４＿１〜１０４＿ｍ, １０４＿ｓ  広告情報
１０５  加速度
１０６  アンケート
１０７  回答情報
１０８, １０８＿１〜１０８＿ｍ  表示優先度
【図１】
2011196936.tif 000003
【図２】
2011196936.tif 000004
【図３】
2011196936.tif 000005
【図４】
2011196936.tif 000006
【図５】
2011196936.tif 000007
【図６】
2011196936.tif 000008
【図７】
2011196936.tif 000009
【図８】
2011196936.tif 000010
【図９】
2011196936.tif 000011